(57)【要約】【課題】切替処理に関する操作性を向上させ得る受信装置を提供する。【解決手段】複数種類の放送信号Ｓｂを受信可能に構成された受信部１２と、受信部１２を制御する制御部２３とを備え、制御部２３は、リモコン３ａ，３ｂのチャンネルアップキーまたはチャンネルダウンキーに対するキー操作が所定時間内に複数回行われたと判断したときに、選局処理部１１を制御して、受信部１２から出力される放送信号Ｓｂの種類を切り替えさせる切替処理を実行する。【選択図】図１
2007208873.tif 000002
【特許請求の範囲】
【請求項１】
複数種類の放送信号を受信可能に構成された受信部と、前記受信部を制御する制御部とを備えた受信装置であって、
前記制御部は、チャンネルアップキーまたはチャンネルダウンキーに対するキー操作が所定時間内に複数回行われたと判断したときに、前記受信部から出力される前記放送信号の種類を切り替えさせる切替処理を実行する受信装置。
【請求項２】
前記所定時間を設定可能に構成され、
前記制御部は、前記設定された所定時間内に前記キー操作が複数回行われたと判断したときに、前記切替処理を実行する請求項１記載の受信装置。
【請求項３】
前記キー操作の回数を設定可能に構成され、
前記制御部は、前記設定された回数の前記キー操作が前記所定時間内に行われたと判断したときに、前記切替処理を実行する請求項１または２記載の受信装置。
【請求項４】
前記制御部は、前記チャンネルアップキーに対するキー操作が前記所定時間内に複数回行われたと判断したときには、前記切替処理において前記受信部から出力される前記放送信号の種類を所定の順序で切り替えさせ、前記チャンネルダウンキーに対するキー操作が前記所定時間内に複数回行われたと判断したときには、前記切替処理において前記受信部から出力される前記放送信号の種類を前記所定の順序とは逆の順序で切り替えさせる請求項１から３のいずれかに記載の受信装置。
【請求項５】
請求項１から４のいずれかに記載の受信装置と、前記放送信号に基づく映像を表示する表示部とを備えているテレビ。
【発明の詳細な説明】
【技術分野】
【０００１】
本発明は、複数種類の放送信号を受信可能に構成された受信部と、受信部を制御する制御部とを備えた受信装置、およびその受信装置を備えたテレビに関するものである。
【背景技術】
【０００２】
この種の受信装置として、例えば、ＢＳデジタル放送、１１０度ＣＳデジタル放送、地上アナログ放送および地上デジタル放送などの数種類の放送信号を受信部に受信させる受信装置が知られている。また、この種の受信装置には、一般的に、受信部に受信させる放送信号の種類を切り替えるためのキー（以下、このキーを「切替キー」ともいう）を備えたリモコンが付属されている。この場合、この受信装置では、切替キーが操作されたときに、受信部に受信させる放送信号の種類の切替え（切替処理）が実行される。例えば、この種の受信装置に対する切替処理を指示可能に構成された操作装置として、十字キーを備えた操作装置が特開２００５−１３６４７７号公報に開示されている。この場合、この操作装置の十字キーは、上方向操作子、下方向操作子、右方向操作子および左方向操作子を備えて構成されている。また、この操作装置では、十字キーの上方向操作子および下方向操作子に対する操作にチャンネルの切替えを指示する操作が割り付けられると共に、十字キーの右方向操作子および左方向操作子に対する操作に切替処理を指示する操作が割り付けられている。この場合、十字キーの右方向操作子または左方向操作子が操作されたときには、受信装置が切替処理を実行する。
【特許文献１】特開２００５−１３６４７７号公報（第７−１１頁、第５−７図）
【発明の開示】
【発明が解決しようとする課題】
【０００３】
ところが、十字キーの右方向操作子および左方向操作子に対する操作に切替処理を指示する操作が割り付けられている上記の操作装置を用いて受信装置に切替処理を実行させる構成には、以下の問題点が存在する。すなわち、今日では、受信装置（テレビ等）に付属のリモコンのみならず、ＤＶＤレコーダ等の外部装置に付属のリモコンや、製造メーカが相違する各種のテレビを遠隔操作可能な汎用のリモコンを用いて受信装置を遠隔操作する使用形態が一般化している。しかしながら、外部装置に付属のリモコンや汎用のリモコンには、切替キーが配設されていないものが数多く存在する。したがって、切替キー（上記の操作装置では十字キーの右方向操作子または左方向操作子がこれに相当）が操作されたときに切替処理を実行させる従来の受信装置には、専用のキーが配設されていない各種リモコン（外部装置に付属のリモコンや汎用のリモコン）によって切替処理を実行させることができないという問題点がある。
【０００４】
本発明は、かかる問題点に鑑みてなされたものであり、切替処理に関する操作性を向上させ得る受信装置およびテレビを提供することを主目的とする。
【課題を解決するための手段】
【０００５】
上記目的を達成すべく本発明に係る受信装置は、複数種類の放送信号を受信可能に構成された受信部と、前記受信部を制御する制御部とを備えた受信装置であって、前記制御部は、チャンネルアップキーまたはチャンネルダウンキーに対するキー操作が所定時間内に複数回行われたと判断したときに、前記受信部から出力される前記放送信号の種類を切り替えさせる切替処理を実行する。
【０００６】
この受信装置によれば、制御部がチャンネルアップキーまたはチャンネルダウンキーに対するキー操作が所定時間内に複数回行われたと判断したときに切替処理を実行することにより、外部装置に付属のリモコンや汎用のリモコン等の一般的なリモコンに配設されたチャンネルアップキーまたはチャンネルダウンキーがキー操作されたときに切替処理を実行させることができる。したがって、切替処理を実行させるための専用のキーが存在しない各種操作部に対する操作によっても切替処理を実行させることができる結果、切替処理に関する操作性を向上させることができる。
【０００７】
また、本発明に係る受信装置は、上記の受信装置において、前記所定時間を設定可能に構成され、前記制御部は、前記設定された所定時間内に前記キー操作が複数回行われたと判断したときに、前記切替処理を実行する。
【０００８】
この受信装置では、制御部が、設定された所定時間内にキー操作が複数回行われたと判断したときに切替処理を実行する。このため、ユーザーは、自分のキー操作の早さを考慮した上で、所定時間の長さを所望の長さとなるように自由に設定することができる。この場合、ユーザーは、所定時間の長さを意識してチャンネルアップキーまたはチャンネルダウンキーをキー操作することにより、切替処理を実行させるための操作と、チャンネルアップまたはチャンネルダウンを複数回行う操作とを確実に区別して実行することができる。したがって、この受信装置によれば、切替処理に関する操作性を一層向上させることができる。
【０００９】
また、本発明に係る受信装置は、上記の受信装置において、前記キー操作の回数を設定可能に構成され、前記制御部は、前記設定された回数の前記キー操作が前記所定時間内に行われたと判断したときに、前記切替処理を実行する。
【００１０】
この受信装置では、制御部が、設定された回数のキー操作が所定時間内に行われたと判断したときに切替処理を実行する。このため、例えば、ユーザーは、切替処理を実行させるための操作と、チャンネルアップまたはチャンネルダウンを複数回行う操作との区別し易さを考慮した上で、キー操作の回数を所望の回数となるように自由に設定することができる。
【００１１】
また、本発明に係る受信装置は、上記の受信装置において、前記制御部は、前記チャンネルアップキーに対するキー操作が前記所定時間内に複数回行われたと判断したときには、前記切替処理において前記受信部から出力される前記放送信号の種類を所定の順序で切り替えさせ、前記チャンネルダウンキーに対するキー操作が前記所定時間内に複数回行われたと判断したときには、前記切替処理において前記受信部から出力される前記放送信号の種類を前記所定の順序とは逆の順序で切り替えさせる。
【００１２】
この受信装置では、制御部が、チャンネルアップキーに対するキー操作が所定時間内に複数回行われたと判断したときには、受信部から出力させる放送信号の種類を所定の順序で切り替えさせ、チャンネルダウンキーに対するキー操作が所定時間内に複数回行われたと判断したときには、受信部から出力される放送信号の種類を所定の順序とは逆の順序で切り替えさせる。このため、ユーザーは、例えば、出力される放送信号の種類を誤って切り替えさせてしまったときには、誤って切り替えさせた順序と逆の順序に切替処理を実行させることで元の放送信号を迅速かつ容易に受信させることができる。この場合、出力される放送信号の種類を所定の順序にのみ切り替えさせる構成では、元の放送信号を受信させるために、切替え可能な放送信号のすべてを所定の順序で切り替えなければならないのに対して、この受信装置では、そのような煩雑な操作を回避することができる。したがって、この受信装置によれば、切替処理に関する操作性をより一層向上させることができる。
【００１３】
また、本発明に係るテレビは、上記の受信装置と、前記放送信号に基づく映像を表示する表示部とを備えている。
【００１４】
このテレビでは、上記の受信装置と、放送信号に基づく映像を表示する表示部とを備えたことにより、上記の受信装置と同等の効果を奏することができる。
【発明を実施するための最良の形態】
【００１５】
以下、本発明に係る受信装置およびテレビの最良の形態について、添付図面を参照して説明する。図１に示すプロジェクションテレビ（以下、単に「テレビ」ともいう）１は、本発明に係るテレビの一例であって、同図に示すように、本体部２およびリモコン３ａを備えて構成されている。本体部２は、選局処理部１１、受信部１２、選局情報保存部１３、信号切替部１４、映像音声処理部１５、映像出力部１６、表示部１７、音声出力部１８、スピーカ１９、受光部２０、キー入力処理部２１、タイマー２２、制御部２３および設定情報保存部２４を備えている。この場合、選局処理部１１、受信部１２、選局情報保存部１３、信号切替部１４、映像音声処理部１５、受光部２０、キー入力処理部２１、タイマー２２、制御部２３および設定情報保存部２４によって本発明に係る受信装置が構成される。
【００１６】
また、このテレビ１は、後述するように、テレビ１に付属の専用のリモコン３ａのみならず、製造メーカ等が相違する各種のテレビを遠隔操作可能な汎用のリモコン３ｂや、外部装置（ＤＶＤプレーヤ、ＤＶＤレコーダおよびビデオデッキ等）１００ａ，１００ｂ，１００ｃに付属のリモコン（図示せず。以下、このリモコンやリモコン３ａ，３ｂを区別しないときには、単にリモコン３ともいう）を用いた遠隔操作が可能に構成されている。
【００１７】
一方、選局処理部１１は、制御部２３の制御に従い、図外のアンテナが受信した放送波から所定の放送信号Ｓｂを受信部１２に受信させる。受信部１２は、互いに種類の異なる放送信号Ｓｂをそれぞれ受信する４つのチューナ４１ａ，４１ｂ，４１ｃ，４１ｄ（以下、区別しないときには「チューナ４１」ともいう）を備えて、複数種類の放送信号Ｓｂを受信可能に構成されている。具体的には、チューナ４１ａはＢＳデジタル放送の放送信号Ｓｂ（以下、この放送信号Ｓｂを「放送信号Ｓｂａ」ともいう）を受信可能に構成され、チューナ４１ｂは１１０度ＣＳデジタル放送の放送信号Ｓｂ（以下、この放送信号Ｓｂを「放送信号Ｓｂｂ」ともいう）を受信可能に構成されている。また、チューナ４１ｃは地上デジタル放送の放送信号Ｓｂ（以下、この放送信号Ｓｂを「放送信号Ｓｂｃ」ともいう）を受信可能に構成され、チューナ４１ｄは地上アナログ放送の放送信号Ｓｂ（以下、この放送信号Ｓｂを「放送信号Ｓｂｄ」ともいう）を受信可能に構成されている。この場合、受信部１２は、選局処理部１１の制御に従い、所定のチャンネルを選局してそのチャンネルの放送信号Ｓｂを受信（抽出）して信号切替部１４に出力する。
【００１８】
選局情報保存部１３は、リモコン３ａの各チャンネル指定キー３１ｂ（図２参照）と各チャンネル指定キー３１ｂに割り当てられるチャンネル（チャンネルの番号）とを対応付ける選局情報Ｄｃを記憶する。信号切替部１４は、制御部２３の制御に従い、図１に示す入力端子２５ａ，２５ｂ，２５ｃ（以下、区別しないときには「入力端子２５」ともいう）を介して入力する各外部装置１００ａ，１００ｂ，１００ｃ（以下、区別しないときには「外部装置１００」ともいう）からの外部信号Ｓｅ、および受信部１２から出力されている放送信号Ｓｂのうちのいずれかを切り替えて入力信号Ｓｃとして映像音声処理部１５に出力する。映像音声処理部１５は、制御部２３の制御に従い、信号切替部１４から出力される入力信号Ｓｃに基づく映像信号Ｄｐおよび音声信号Ｄｖを映像出力部１６および音声出力部１８にそれぞれ出力する。映像出力部１６は、制御部２３の制御に従い、映像音声処理部１５から出力された映像信号Ｄｐを映像Ｐや設定画面Ｐｓ（図２，４〜７参照）の表示用の映像信号Ｓｐに変換して表示部１７に出力する。
【００１９】
表示部１７は、一例として、光学エンジンおよびスクリーンパネル（いずれも図示せず）を備え、映像出力部１６から出力された映像信号Ｓｐに対応する映像Ｐを表示する。具体的には、この表示部１７は、出力された映像信号Ｓｐに基づいて光源ランプからの投射光を光変調してスクリーンパネルに背面側から投射することで各種映像Ｐを表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。
【００２０】
音声出力部１８は、制御部２３の制御に従い、映像音声処理部１５から出力された音声信号Ｄｖを増幅して音声信号Ｓｖとしてスピーカ１９に出力する。スピーカ１９は、音声出力部１８から出力された音声信号Ｓｖに基づく音声を出力する。なお、本明細書における「音声」には、人の声のみならず、鳥の鳴き声、風の音および音楽等の各種の「音」が含まれる。受光部２０は、リモコン３から出力される赤外線信号Ｓｉを受光して復調信号Ｓｄを出力する。キー入力処理部２１は、受光部２０から出力された復調信号Ｓｄに対応する（つまりリモコン３の操作キーに対応する）操作信号Ｓｏを制御部２３に出力する。タイマー２２は、制御部２３の制御に従って所定時間ｔのカウントを開始し、所定時間ｔが経過した時点でタイマー信号Ｓｔを制御部２３に出力する。
【００２１】
制御部２３は、キー入力処理部２１から出力された操作信号Ｓｏに従い、選局処理部１１、信号切替部１４、映像音声処理部１５、映像出力部１６、音声出力部１８およびタイマー２２を制御すると共に、選局処理部１１と共に本発明における制御部を構成する。また、制御部２３は、リモコン３ａのチャンネルアップキー３１ｃまたはチャンネルダウンキー３１ｄ（図２参照）がキー操作されて、各キー３１ｃ，３１ｄに対応する操作信号Ｓｏがキー入力処理部２１から出力されたと判断したときには、図３に示す切替選局処理５０を実行する。また、制御部２３は、リモコン３ｂ等のチャンネルアップキー（以下、チャンネルアップキー３１ｃと区別しないときには、単にチャンネルアップキーともいう）またはリモコン３ｂ等のチャンネルダウンキー（以下、チャンネルダウンキー３１ｄと区別しないときには、単にチャンネルダウンキーともいう）がキー操作されたと判断したときにも、切替選局処理５０を実行する。この切替選局処理５０では、制御部２３は、チャンネルアップキーまたはチャンネルダウンキーに対するキー操作が所定時間ｔ内に複数回行われたと判断したときに、受信部１２から出力される放送信号Ｓｂの種類を切り替えさせる放送信号切替処理（本発明における切替処理）を実行する。さらに、制御部２３は、図４に示す設定画面Ｐｓを表示させると共に、設定画面Ｐｓ上で設定された内容を示す設定情報Ｄｓを設定情報保存部２４に出力する。設定情報保存部２４は、制御部２３から出力された設定情報Ｄｓを記憶する。
【００２２】
リモコン３ａは、図２に示すように、本体部２とは別体に形成されている。また、リモコン３ａは、電源キー３１ａ、１２個のチャンネル指定キー３１ｂ、チャンネルアップキー３１ｃ、チャンネルダウンキー３１ｄおよび設定キー３１ｅなど（以下、電源キー３１ａから設定キー３１ｅまでを区別しないときには「操作キー３１」ともいう）を備えて構成されている。この場合、リモコン３ａは、これらの操作キー３１に対するキー操作が行われたときに、各操作キー３１に対応する赤外線信号Ｓｉを出力（送信）する。一方、リモコン３ｂは、一例として、テレビ１を遠隔操作可能なキーとして、チャンネル指定キー（一例として、「０」〜「９」の１０個のキー：ダイレクトチャンネルキー）、チャンネルアップキー、チャンネルダウンキーおよび電源キー等の各種操作キー（いずれも図示せず）が配設されて各操作キーに対応する赤外線信号Ｓｉを出力可能に構成されている。
【００２３】
次に、テレビ１の全体的な動作について、図面を参照して説明する。このテレビ１では、例えば図２に示すリモコン３ａの電源キー３１ａがキー操作された際に、表示部１７の光学エンジンに電源が供給されて、光源が発光する。また、制御部２３が、選局処理部１１を制御することにより、直前の電源切断時に受信されていたチャンネル（例えばＢＳデジタル放送の１０２チャンネル）の放送信号Ｓｂ（この例では放送信号Ｓｂａ）を受信部１２のチューナ４１ａに受信させると共に信号切替部１４に対して出力させる。また、制御部２３は、信号切替部１４を制御して、入力端子２５を介して各外部装置１００から入力されている外部信号Ｓｅ、および受信部１２から出力されている放送信号Ｓｂａのうちから、例えば放送信号Ｓｂａを入力信号Ｓｃとして映像音声処理部１５に出力させる。次いで、映像音声処理部１５が、信号切替部１４から出力された入力信号Ｓｃに基づく映像信号Ｄｐおよび音声信号Ｄｖを映像出力部１６および音声出力部１８にそれぞれ出力する。続いて、映像出力部１６が、映像信号Ｄｐを映像Ｐの表示用の映像信号Ｓｐに変換して表示部１７に出力する。次いで、表示部１７の光学エンジンが映像信号Ｓｐに基づいて変調した投射光をスクリーンパネルに投射する。これにより、表示部１７は、図２に示すように、放送信号Ｓｂａに基づくＢＳデジタル放送の１０２チャンネルの映像Ｐを表示する。また、音声出力部１８が、映像音声処理部１５から出力された音声信号Ｄｖを増幅して音声信号Ｓｖをスピーカ１９に出力し、スピーカ１９が、音声信号Ｓｖに基づくＢＳデジタル放送の１０２チャンネルの音声を出力する。
【００２４】
次に、例えば、設定画面Ｐｓを表示させるための設定キー３１ｅがキー操作されたときは、リモコン３ａが、設定キー３１ｅに対応する赤外線信号Ｓｉを出力し、キー入力処理部２１が、操作信号Ｓｏを制御部２３に出力する。これに応じて、制御部２３は、図４に示すように、設定画面Ｐｓを表示させる。この場合、この設定画面Ｐｓでは、その設定項目として、図３に示す切替選局処理５０における放送信号切替処理の際に必要とされる「操作時間」および「操作回数」が設定可能となっている。
【００２５】
ここで、設定画面Ｐｓに示される「操作時間」は、所定時間ｔを設定するための項目である。例えば、設定画面Ｐｓでは、この「操作時間」として、チャンネル指定キー３１ｂを用いた入力操作（つまりチャンネル指定キー３１ｂに対応付けられている数字を入力する操作）によって任意の時間を設定可能となっている。これにより、ユーザーは、自分のキー操作の早さを考慮した上で、所定時間ｔの長さを所望の長さとなるように自由に設定することができる。この場合、例えば、「０」が対応付けられたチャンネル指定キー３１ｂをキー操作した後に、「５」が対応付けられたチャンネル指定キー３１ｂをキー操作することにより、図４に示すように、所定時間ｔが０．５秒に設定される。
【００２６】
また、設定画面Ｐｓに示される「操作回数」は、放送信号切替処理を実行させるためのキー操作の回数（以下、この回数「設定回数」ともいう）を設定するための項目である。例えば、設定画面Ｐｓでは、この「操作回数」として、チャンネル指定キー３１ｂを用いた入力操作によって２回以上の任意の回数を設定可能となっている。これにより、例えば、ユーザーは、放送信号切替処理を実行させるためのキー操作と、チャンネルアップまたはチャンネルダウンを複数回行う操作との区別し易さを考慮した上で、設定回数を所望の回数となるように自由に設定することができる。この場合、例えば、「２」が対応付けられたチャンネル指定キー３１ｂをキー操作することにより、図４に示すように、設定回数が２回に設定される。この例では、同図に示すように各項目が設定されたものとする。次いで、制御部２３は、設定画面Ｐｓ上で設定された内容を示す設定情報Ｄｓを設定情報保存部２４に出力する。設定情報保存部２４は、制御部２３から出力された設定情報Ｄｓを記憶する。続いて、設定キー３１ｅが再度操作されたときには、制御部２３は、設定画面Ｐｓの表示に代えて、先に表示されていたＢＳデジタル放送の１０２チャンネルの映像Ｐを表示させる。
【００２７】
一方、チャンネルをアップまたはダウンさせるとき（一例としてチャンネルをアップさせるとき）には、ユーザーは、チャンネルアップキーを操作する。この際に、リモコン３がチャンネルアップキーに対応する赤外線信号Ｓｉを出力し、受光部２０が赤外線信号Ｓｉを受光して復調信号Ｓｄを出力する。また、キー入力処理部２１がその復調信号Ｓｄに対応する操作信号Ｓｏを制御部２３に出力する。これに応じて、制御部２３は切替選局処理５０を実行する。この切替選局処理５０では、制御部２３は、まず、設定情報保存部２４から設定情報Ｄｓを読み込む。続いて、制御部２３は、タイマー２２を制御して、設定情報Ｄｓの示す所定時間ｔ（この例では０．５秒）のカウントを開始させる（ステップ５１）。次いで、制御部２３は、リモコン３のチャンネルアップキーに対する操作回数をカウントするためのカウント値Ｃを１にセットする（ステップ５２）。続いて、制御部２３は、タイマー２２からタイマー信号Ｓｔが出力されたか否か、つまり所定時間ｔが経過したか否かを判別する（ステップ５３）。この場合、所定時間ｔが経過していないと判断したときには、制御部２３は、チャンネルアップキーが新たにキー操作されたか否かを判別する（ステップ５４）。この際に、新たにキー操作されていないと判断したときには、制御部２３は、ステップ５３における判別処理を再度実行する。
【００２８】
この際に、ユーザーは、チャンネルアップキーを再度操作することなく所定時間ｔが経過するまで待機する。この場合、制御部２３は、所定時間ｔが経過するまでステップ５５，５６の判別処理を繰り返し実行する。一方、所定時間ｔが経過したときには、タイマー２２がタイマー信号Ｓｔを制御部２３に出力する。これに応じて、制御部２３は、選局処理を実行する（ステップ５５）。この選局処理では、制御部２３は、現在受信しているチャンネル（この例ではＢＳデジタル放送の１０２チャンネル）の次のチャンネル（例えばＢＳデジタル放送の１０３チャンネル）の放送信号Ｓｂａをチューナ４１ａに受信させると共に信号切替部１４に出力させる。また、制御部２３は、上記の制御と同様にして、信号切替部１４、映像音声処理部１５、映像出力部１６、表示部１７を制御して、図５に示すように、ＢＳデジタル放送の１０３チャンネルの映像Ｐを表示させる。また、制御部２３は、上記の制御と同様にして、映像音声処理部１５、音声出力部１８およびスピーカ１９を制御することによって音声の出力も開始させて、切替選局処理５０を終了する。
【００２９】
一方、ＢＳデジタル放送からＣＳデジタル放送に放送信号Ｓｂの種類を切り替えさせるときには、ユーザーは、リモコン３のチャンネルアップキーをキー操作する。この際には、チャンネルアップキーに対応する赤外線信号Ｓｉがリモコン３から出力されて、キー入力処理部２１は、操作信号Ｓｏを制御部２３に出力する。これに応じて、制御部２３は切替選局処理５０を実行する。この切替選局処理５０では、制御部２３は、上記した切替選局処理５０と同様にして、ステップ５１〜５３の処理を実行する。
【００３０】
次いで、所定時間ｔが経過していないと判断したときには、制御部２３は、リモコン３のチャンネルアップキーが新たにキー操作されたか否かを判別する（ステップ５４）。この場合、所定時間ｔが経過していないと判断したときには、制御部２３は、ステップ５３における判別処理を再度実行する。この際には、ユーザーは、所定時間ｔが経過するまでの間にリモコン３のチャンネルアップキーを再度操作する。この際には、チャンネルアップキーに対応する赤外線信号Ｓｉがリモコン３から出力されて、キー入力処理部２１は、操作信号Ｓｏを制御部２３に出力する。これに応じて、制御部２３は、カウント値Ｃを２にカウントアップする（ステップ５６）。次いで、制御部２３は、設定情報Ｄｓを読み込むと共に、設定情報Ｄｓの示す設定回数を特定する。
【００３１】
続いて、制御部２３は、カウント値Ｃが設定回数（この例では２回）以上か否かを判別する（ステップ５７）。この例では、設定回数とカウント値Ｃとが一致しているため、制御部２３は、放送信号切替処理を実行する（ステップ５８）。この放送信号切替処理では、制御部２３は、まず、選局処理部１１を制御して、受信部１２から出力される放送信号Ｓｂの種類を切り替えさせる。この場合、制御部２３は、放送信号Ｓｂａに代えて、ＣＳデジタル放送のチャンネルのうちから直近の受信時に選局されていたチャンネル（例えばＣＳデジタル放送の１００チャンネル）の放送信号Ｓｂｂをチューナ４１ｂに受信させると共に、その放送信号Ｓｂｂを信号切替部１４に対して出力させる。また、制御部２３は、上記の制御と同様にして、信号切替部１４、映像音声処理部１５、映像出力部１６、表示部１７を制御して、図６に示すように、ＣＳデジタル放送の１００チャンネルの映像Ｐを表示させて、切替選局処理５０を終了する。この場合、このテレビ１では、制御部２３がリモコン３のチャンネルアップキー（またはチャンネルダウンキー）に対するキー操作が所定時間ｔ内に設定回数以上行われたと判断したときに放送信号切替処理を実行する。このため、汎用のリモコン３ｂ等の一般的なリモコン３に配設されたチャンネルアップキー（またはチャンネルダウンキー）がキー操作されたときに放送信号切替処理が実行される。
【００３２】
次に、ＣＳデジタル放送から地上アナログ放送に放送信号Ｓｂの種類を切り替えさせるときには、ユーザーは、リモコン３のチャンネルアップキーを所定時間ｔ内に設定回数だけキー操作する。この際には、制御部２３は、切替選局処理５０のステップ５８において、放送信号Ｓｂｂに代えて、所定のチャンネル（例えば地上アナログ放送の１チャンネル）の放送信号Ｓｂｃをチューナ４１ｃに受信させると共にその放送信号Ｓｂｃを出力させることにより、図７に示すように、放送信号Ｓｂｃに基づく映像Ｐを表示させる。
【００３３】
次に、地上アナログ放送から地上デジタル放送に放送信号Ｓｂの種類を切り替えさせるときには、ユーザーは、リモコン３のチャンネルアップキーを所定時間ｔ内に設定回数だけキー操作する。この際には、制御部２３は、切替選局処理５０のステップ５８において、地上アナログ放送の１チャンネルの放送信号Ｓｂｃに代えて、地上デジタル放送の放送信号Ｓｂｄをチューナ４１ｄに受信させると共にその放送信号Ｓｂｄを出力させることにより、放送信号Ｓｂｄに基づく映像Ｐを表示させる。このように、リモコン３のチャンネルアップキーに対するキー操作が所定時間ｔ内に設定回数以上行われたと判断したときには、制御部２３は、受信部１２から出力される放送信号Ｓｂの種類を所定の順序で切り替えさせる。このため、放送信号切替処理を実行させるためにリモコン３のチャンネルアップキーがキー操作されたときには、受信部１２から出力される放送信号Ｓｂの種類が、ＢＳデジタル放送、ＣＳデジタル放送、地上アナログ放送、地上デジタル放送、ＢＳデジタル放送・・の順序で切り替えられる。
【００３４】
これに対して、リモコン３のチャンネルダウンキーに対するキー操作が所定時間ｔ内に設定回数以上行われたと判断したときには、制御部２３は、切替選局処理５０のステップ５８において、受信部１２から出力される放送信号Ｓｂの種類を上記した順序とは逆の順序で切り替えさせる。このため、放送信号切替処理を実行させるためにリモコン３のチャンネルダウンキーがキー操作されたときには、受信部１２から出力される放送信号Ｓｂの種類が、地上デジタル放送、地上アナログ放送、ＣＳデジタル放送、ＢＳデジタル放送、地上デジタル放送・・の順序で切り替えられる。この場合、ユーザーは、例えば、出力される放送信号Ｓｂの種類を誤って切り替えさせてしまったときには、誤って切り替えさせた順序と逆の順序に放送信号切替処理を実行させることで元の放送信号Ｓｂを迅速かつ容易に出力させることが可能となる。
【００３５】
このように、このテレビ１によれば、制御部２３がリモコン３のチャンネルアップキーまたはチャンネルダウンキーに対するキー操作が所定時間ｔ内に設定回数以上行われたと判断したときに放送信号切替処理を実行することにより、汎用のリモコン３ｂ等の一般的なリモコン３に配設されたチャンネルアップキーまたはチャンネルダウンキーをキー操作することで放送信号切替処理を実行させることができる。したがって、放送信号切替処理を実行させるための専用のキーが存在しないリモコン３ｂ等に対する操作によっても放送信号切替処理を実行させることができる結果、放送信号切替処理に関する操作性を向上させることができる。
【００３６】
また、このテレビ１では、制御部２３が、設定された所定時間ｔ内にキー操作が設定回数以上行われたと判断したときに放送信号切替処理を実行する。このため、ユーザーは、自分のキー操作の早さを考慮した上で、所定時間ｔの長さを所望の長さとなるように自由に設定することができる。この場合、ユーザーは、所定時間ｔの長さを意識してチャンネルアップキーまたはチャンネルダウンキーをキー操作することにより、放送信号切替処理を実行させるための操作と、チャンネルアップまたはチャンネルダウンを複数回行う操作とを確実に区別して実行することができる。したがって、このテレビ１によれば、放送信号切替処理に関する操作性を一層向上させることができる。
【００３７】
また、このテレビ１では、制御部２３が、設定された設定回数のキー操作が所定時間ｔ内に行われたと判断したときに放送信号切替処理を実行する。このため、ユーザーは、放送信号切替処理を実行させるための操作と、チャンネルアップまたはチャンネルダウンを複数回行う操作との区別し易さを考慮した上で、設定回数を所望の回数となるように自由に設定することができる。
【００３８】
また、このテレビ１では、制御部２３が、チャンネルアップキーに対するキー操作が行われたと判断したときには、受信部１２から出力される放送信号Ｓｂの種類を所定の順序で切り替えさせ、チャンネルダウンキーに対するキー操作が行われたと判断したときには、受信部１２から出力される放送信号Ｓｂの種類を所定の順序とは逆の順序で切り替えさせる。このため、ユーザーは、例えば、出力される放送信号Ｓｂの種類を誤って切り替えさせてしまったときには、誤って切り替えさせた順序と逆の順序で放送信号切替処理を実行させることで元の放送信号Ｓｂを迅速かつ容易に出力させることができる。この場合、出力される放送信号Ｓｂの種類を所定の順序にのみ切り替えさせる構成では、元の放送信号Ｓｂを出力させるために、切替え可能な放送信号Ｓｂのすべてを所定の順序で切り替えなければならないのに対して、このテレビ１では、そのような煩雑な操作を回避することができる。したがって、このテレビ１によれば、放送信号切替処理に関する操作性をより一層向上させることができる。
【００３９】
なお、本発明は、上記の構成に限定されない。例えば、設定画面Ｐｓ上で設定回数を２回に設定する例について説明したが、３回以上の複数回に設定することもできる。さらに、設定画面Ｐｓ上で所定時間ｔを０．５秒に設定する例について説明したが、０．５秒以外の任意の時間に設定することができる。また、リモコン３のチャンネルアップキーまたはチャンネルダウンキーのキー操作に応じて制御部２３が切替選局処理５０を実行する例について上記したが、テレビ１の本体部２に配設された図外のチャンネルアップキーまたはチャンネルダウンキーのキー操作に応じて制御部２３が切替選局処理５０を実行する構成を採用することもできる。また、光学エンジンおよびスクリーンパネルを有する表示部１７を備えたプロジェクションテレビ１に本発明を適用した例について上記したが、ＣＲＴ、液晶表示パネルおよびプラズマディスプレイ等で構成された表示部を備えたテレビに本発明を適用することもできる。さらに、本発明に係る受信装置をプロジェクションテレビ１に適用した例について上記したが、ビデオレコーダ、ＤＶＤレコーダ、ハードディスクレコーダ等に本発明を適用することもできる。
【図面の簡単な説明】
【００４０】
【図１】プロジェクションテレビ１の構成を示すブロック図である。
【図２】プロジェクションテレビ１の正面図である。
【図３】切替選局処理５０のフローチャートである。
【図４】設定画面Ｐｓの表示画面図である。
【図５】放送信号Ｓｂａに基づく映像Ｐを示す表示画面図である。
【図６】放送信号Ｓｂｂに基づく映像Ｐを示す表示画面図である。
【図７】放送信号Ｓｂｃに基づく映像Ｐを示す表示画面図である。
【符号の説明】
【００４１】
１  プロジェクションテレビ、３ａ，３ｂ  リモコン、１１  選局処理部、１２  受信部、１７  表示部、２３  制御部、３１ｃ  チャンネルアップキー、３１ｄ  チャンネルダウンキー、４１ａ〜４１ｄ  チューナ、Ｓｂａ，Ｓｂｂ，Ｓｂｃ，Ｓｂｄ  放送信号、ｔ  所定時間
【図１】
2007208873.tif 000003
【図２】
2007208873.tif 000004
【図３】
2007208873.tif 000005
【図４】
2007208873.tif 000006
【図５】
2007208873.tif 000007
【図６】
2007208873.tif 000008
【図７】
2007208873.tif 000009